(57)【要約】【課題】複数のコンポーネントキャリアが存在するシステムにおいて基地局装置と移動局装置で保持する設定情報を効率的に管理することができる通信システム及び移動局装置を提供する。【解決手段】移動局装置と基地局装置とが複数のコンポーネントキャリアを使用して通信を行う移動通信システムにおいて、基地局装置は、移動局装置に対するページングを前記移動局装置がモニタリングする第１のコンポーネントキャリアでのみ通知し、無線資源制御シグナリングを用いて第２のコンポーネントキャリアのシステム情報要素を更新し、移動局装置は、第１のコンポーネントキャリアでのみページングのモニタリングを行い、無線資源制御シグナリングから前記第２のコンポーネントキャリアのシステム情報要素の更新を検出する。【選択図】図７
2014131362.tif 000002
【特許請求の範囲】
【請求項１】
移動局装置であって、
第１のコンポーネントキャリアで報知される更新されたシステム情報を取得する手段と、
第２のコンポーネントキャリアのシステム情報が変更される場合に、基地局装置から専用制御チャネル（ＤＣＣＨ）を用いて送信された無線資源制御メッセージによって、前記第２のコンポーネントキャリアに対する更新されたシステム情報を取得する手段と、
を備えることを特徴とする移動局装置。
【請求項２】
ページングから前記第１のコンポーネントキャリアで報知されるシステム情報の変更の通知を検出する手段、
を備えることを特徴とする請求項１に記載の移動局装置。
【請求項３】
基地局装置であって、
第１のコンポーネントキャリアで報知される更新されたシステム情報を送信する手段と、
第２のコンポーネントキャリアのシステム情報が変更される場合に、移動局装置に対して専用制御チャネル（ＤＣＣＨ）を用いて送信される無線資源制御メッセージによって、前記第２のコンポーネントキャリアに対する更新されたシステム情報を送信する手段と、
を備えることを特徴とする基地局装置。
【請求項４】
ページングによって、前記第１のコンポーネントキャリアで報知されるシステム情報の変更を通知する手段、
を備えることを特徴とする請求項３に記載の基地局装置。
【請求項５】
移動局装置の通信方法であって、
第１のコンポーネントキャリアで報知される更新されたシステム情報を取得し、
第２のコンポーネントキャリアのシステム情報が変更される場合に、基地局装置から専用制御チャネル（ＤＣＣＨ）を用いて送信された無線資源制御メッセージによって、前記第２のコンポーネントキャリアに対する更新されたシステム情報を取得する、
ことを特徴とする通信方法。
【請求項６】
ページングから前記第１のコンポーネントキャリアで報知されるシステム情報の変更の通知を検出する、
ことを特徴とする請求項５に記載の通信方法。
【請求項７】
基地局装置の通信方法であって、
第１のコンポーネントキャリアで報知される更新されたシステム情報を送信し、
第２のコンポーネントキャリアのシステム情報が変更される場合に、移動局装置に対して専用制御チャネル（ＤＣＣＨ）を用いて送信される無線資源制御メッセージによって、前記第２のコンポーネントキャリアに対する更新されたシステム情報を送信する、
ことを特徴とする通信方法。
【請求項８】
ページングによって、前記第１のコンポーネントキャリアで報知されるシステム情報の変更を通知する、
ことを特徴とする請求項７に記載の通信方法。
【発明の詳細な説明】
【技術分野】
【０００１】
本発明は、移動局装置、基地局装置、移動通信システム、移動局装置の通信方法、基地局装置の通信方法、及び処理部に関し、より詳細には、複数のコンポーネントキャリアが存在する移動局装置、基地局装置、移動通信システム、移動局装置の通信方法、基地局装置の通信方法、及び処理部に関する。
【背景技術】
【０００２】
３ＧＰＰ（3rdGeneration Partnership Project：第３世代パートナーシッププロジェクト）は、Ｗ−ＣＤＭＡ（Wideband-Code Division Multiple Access：広帯域−符号分割多元接続）とＧＳＭ（登録商標）（Global System for Mobile Communications：ジーエスエム）を発展させたネットワークを基本した携帯電話システムの仕様の検討・作成を行うプロジェクトである。
【０００３】
３ＧＰＰでは、Ｗ−ＣＤＭＡ方式が第３世代セルラー移動通信方式として標準化され、順次サービスが開始されている。また、通信速度をさらに上げたＨＳＤＰＡ（High-Speed Downlink Packet Access：エイチエスディーピーエー）も標準化され、サービスが開始されている。
３ＧＰＰでは、第３世代無線アクセス技術の進化（ＬＴＥ（Long Term Evolution）、もしくは、ＥＵＴＲＡ（Evolved Universal Terrestrial Radio Access）と称する）、および、より広帯域なシステム帯域幅を利用して、さらなる高速なデータの送受信を実現する移動通信システム（以下、ＬＴＥ−Ａ（Long Term Evolution-Advanced）、若しくは、Ａｄｖａｎｃｅｄ−ＥＵＴＲＡと称する）に関する検討が進められている。
【０００４】
ＥＵＴＲＡにおける下りリンク通信方式として、互いに直交するサブキャリアを用いてユーザ多重化を行うＯＦＤＭＡ（Orthogonal Frequency Division Multiple Access：直交周波数分割多元接続）方式が提案されている。
また、ＯＦＤＭＡ方式において、チャネル符号化等の適応無線リンク制御（リンクアダプテーション：Link Adaptation）に基づく適応変復調・誤り訂正方式（ＡＭＣＳ：Adaptive Modulation and Coding Scheme）といった技術が適用されている。
【０００５】
ＡＭＣＳとは、高速パケットデータ伝送を効率的に行うために、各移動局装置のチャネル品質に応じて、誤り訂正方式、誤り訂正の符号化率、データ変調多値数などの無線伝送パラメータ（ＡＭＣモードとも称する）を切り替える方式である。
各移動局装置のチャネル品質は、ＣＱＩ（Channel Quality Indicator：チャネル品質指標）を使って基地局装置へフィードバックされる。
【０００６】
図１２は、従来の無線通信システムで用いられているチャネル構成を示す図である。このチャネル構成は、ＥＵＴＲＡなどの無線通信システムで用いられている（非特許文献１参照）。図１２に示す無線通信システムは、基地局装置１００、移動局装置２００ａ、２００ｂ、２００ｃを備えている。Ｒ０１は、基地局装置１００の通信可能な範囲を示しており、基地局装置１００は、この範囲Ｒ０１内に存在する移動局装置と通信を行う。
【０００７】
ＥＵＴＲＡにおいて、基地局装置１００から移動局装置２００ａ〜２００ｃへ信号を送信する下りリンクでは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が用いられる。
【０００８】
また、ＥＵＴＲＡにおいて、移動局装置２００ａ〜２００ｃから基地局装置１００へ信号を送信する上りリンクでは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）が用いられる。
【０００９】
ＬＴＥ−Ａでは、ＥＵＴＲＡの基本的なシステムを踏襲している。さらに、ＬＴＥ−Ａでは、一般的なシステムでは使用する周波数帯域は連続であるのに対し、連続／不連続な複数の周波数帯域（以下、キャリア要素（Carrier Component、または、コンポーネントキャリア（ＣＣ：Component Carrier））と呼称する）を複合的に用いて、１つの広周波数帯域（広帯域なシステム帯域）として運用する（周波数帯域集約：Spectrum aggregation、Carrier aggregation）ことが提案されている。すなわち、使用可能な周波数帯域であるシステム帯域の中の一部の帯域幅を有する複数のコンポーネントキャリアで、一つのシステム帯域を構成している。それぞれのコンポーネントキャリアでは、ＬＴＥやＬＴＥ−Ａの移動局装置が動作することができる。また、移動通信システムに割り当てられた周波数帯域をより柔軟に使用するために、下りリンクの通信に使用される周波数帯域と上りリンクの通信に使用される周波数帯域が、異なる周波数帯域幅を持つことも提案されている。
【先行技術文献】
【非特許文献】
【００１０】
【非特許文献１】3GPP TS(Technical Specification)36.300、V8.4.0(2008-03)、3rdGeneration Partnership Project; Technical Specification Group Radio Access Network、Evolved Universal Terrestrial Radio Access(E-UTRA) and Evolved Universal Terrestrial Radio Access Network(E-UTRAN); Overall description; Stage 2(Release 8)
【発明の概要】
【発明が解決しようとする課題】
【００１１】
しかしながら、従来から知られている無線通信システムにおいて、移動局装置が完全にコンポーネントキャリア数分の無線装置を上位層に渡るまで持つことは非常に効率が悪いという問題があった。
【００１２】
本発明は、上記事情に鑑みてなされたものであり、その目的は、複数のコンポーネントキャリアが存在するシステムにおいて基地局装置と移動局装置で保持する設定情報を効率的に管理することができ、速やかに通信を行うことができる移動局装置、基地局装置、移動通信システム、移動局装置の通信方法、基地局装置の通信方法、及び処理部を提供することにある。
【００１３】
本発明による第１の技術手段は、移動局装置であって、第１のコンポーネントキャリアで報知される更新されたシステム情報を取得する手段と、第２のコンポーネントキャリアのシステム情報が変更される場合に、基地局装置から専用制御チャネル（ＤＣＣＨ）を用いて送信された無線資源制御メッセージによって、前記第２のコンポーネントキャリアに対する更新されたシステム情報を取得する手段と、を備えることを特徴とする移動局装置である。
【００１４】
第２の技術手段は、第１の技術手段において、ページングから前記第１のコンポーネントキャリアで報知されるシステム情報の変更の通知を検出する手段、を備えることを特徴とする移動局装置である。
【００１５】
第３の技術手段は、基地局装置であって、第１のコンポーネントキャリアで報知される更新されたシステム情報を送信する手段と、第２のコンポーネントキャリアのシステム情報が変更される場合に、移動局装置に対して専用制御チャネル（ＤＣＣＨ）を用いて送信される無線資源制御メッセージによって、前記第２のコンポーネントキャリアに対する更新されたシステム情報を送信する手段と、を備えることを特徴とする基地局装置である。
【００１６】
第４の技術手段は、第３の技術手段において、ページングによって、前記第１のコンポーネントキャリアで報知されるシステム情報の変更を通知する手段、を備えることを特徴とする基地局装置である。
【００１７】
第５の技術手段は、移動局装置の通信方法であって、第１のコンポーネントキャリアで報知される更新されたシステム情報を取得し、第２のコンポーネントキャリアのシステム情報が変更される場合に、基地局装置から専用制御チャネル（ＤＣＣＨ）を用いて送信された無線資源制御メッセージによって、前記第２のコンポーネントキャリアに対する更新されたシステム情報を取得する、ことを特徴とする通信方法である。
【００１８】
第６の技術手段は、第５の技術手段において、ページングから前記第１のコンポーネントキャリアで報知されるシステム情報の変更の通知を検出する、ことを特徴とする通信方法である。
【００１９】
第７の技術手段は、基地局装置の通信方法であって、第１のコンポーネントキャリアで報知される更新されたシステム情報を送信し、第２のコンポーネントキャリアのシステム情報が変更される場合に、移動局装置に対して専用制御チャネル（ＤＣＣＨ）を用いて送信される無線資源制御メッセージによって、前記第２のコンポーネントキャリアに対する更新されたシステム情報を送信する、ことを特徴とする通信方法である。
【００２０】
第８の技術手段は、第７の技術手段において、ページングによって、前記第１のコンポーネントキャリアで報知されるシステム情報の変更を通知する、
ことを特徴とする通信方法である。
【発明の効果】
【００２１】
本発明の移動局装置、基地局装置、移動通信システム、移動局装置の通信方法、基地局装置の通信方法、及び処理部は、複数のコンポーネントキャリアが存在するシステムにおいて基地局装置と移動局装置で保持する設定情報を効率的に管理することができ、速やかに通信を行うことができる。
【図面の簡単な説明】
【００２２】
【図１】本発明の第１の実施形態による通信システムで用いる下りリンクのチャネルの構成を示す図である。
【図２】本発明の第１の実施形態による通信システムで用いる上りリンクのチャネルの構成を示す図である。
【図３】本発明の第１の実施形態による通信システムの下りリンクで用いるフレーム構成を示す図である。
【図４】本発明の第１の実施形態による通信システムの上りリンクで用いるフレーム構成を示す図である。
【図５】本発明の第１の実施形態による基地局装置の構成を示す概略ブロック図である。
【図６】本発明の第１の実施形態による移動局装置の構成を示す概略ブロック図である。
【図７】本発明の第１の実施形態による無線通信システムの処理を示すシーケンス図である。
【図８】本発明によるシステム情報の変更通知の処理手順の第１の方法について説明するためのシーケンス図である。
【図９】本発明によるシステム情報の変更通知の処理手順の第２の方法について説明するためのシーケンス図である。
【図１０】本発明によるシステム情報の変更通知の処理手順の第３の方法について説明するためのシーケンス図である。
【図１１】本発明によるシステム情報の変更通知の処理手順の第４の方法について説明するためのシーケンス図である。
【図１２】従来の無線通信システムで用いられているチャネル構成を示す図である。
【発明を実施するための形態】
【００２３】
以下、図面を参照して、本発明の各実施形態について説明する。
始めに、本発明の第１の実施形態について説明する。本発明の第１の実施形態による無線通信システムは、１つ以上の基地局装置と１つ以上の移動局装置とを備えていて、その間の無線通信を行う。１つの基地局装置は、１つ以上のセルを構成し、１つのセルに１つ以上の移動局装置を収容できる。
【００２４】
図１は、本発明の第１の実施形態による通信システムで用いる下りリンクのチャネルの構成を示す図である。また、図２は、本発明の第１の実施形態による通信システムで用いる上りリンクのチャネルの構成を示す図である。図１に示す下りリンクのチャネルと、図２に示す上りリンクのチャネルは、それぞれ論理チャネル、トランスポートチャネル、物理チャネルから構成されている。
【００２５】
論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００２６】
下りリンクの論理チャネルには、報知制御チャネル（ＢＣＣＨ：Broadcast Control Channel）、ページング制御チャネル（ＰＣＣＨ：Paging Control Channel）、共通制御チャネル（ＣＣＣＨ：Common Control Channel）、専用制御チャネル（ＤＣＣＨ：Dedicated Control Channel）、専用トラフィックチャネル（ＤＴＣＨ：Dedicated Traffic Channel）、マルチキャスト制御チャネル（ＭＣＣＨ：Multicast Control Channel）、マルチキャストトラフィックチャネル（ＭＴＣＨ：Multicast Traffic Channel）が含まれる。
上りリンクの論理チャネルには、共通制御チャネル（ＣＣＣＨ）、専用制御チャネル（ＤＣＣＨ）、専用トラフィックチャネル（ＤＴＣＨ）が含まれる。
【００２７】
下りリンクのトランスポートチャネルには、報知チャネル（ＢＣＨ：Broadcast Channel）、ページングチャネル（ＰＣＨ：Paging Channel）、下りリンク共用チャネル（ＤＬ−ＳＣＨ：Downlink Shared Channel）、マルチキャストチャネル（ＭＣＨ：Multicast Channel）が含まれる。上りリンクのトランスポートチャネルには、上りリンク共用チャネル（ＵＬ−ＳＣＨ：Uplink Shared Channel）、ランダムアクセスチャネル（ＲＡＣＨ：Random Access Channel）が含まれる。
【００２８】
下りリンクの物理チャネルには、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が含まれる。上りリンクの物理チャネルには、物理上りリンク共用チャネル（ＰＵＳＣＨ：Physical Uplink Shared Channel）、物理ランダムアクセスチャネル（ＰＲＡＣＨ：Physical Random Access Channel）、物理上りリンク制御チャネル（ＰＵＣＣＨ：Physical Uplink Control Channel）が含まれる。
これらのチャネルは、従来技術で説明した図７のようにして基地局装置と移動局装置の間で送受信される。
【００２９】
次に、論理チャネルについて説明する。報知制御チャネル（ＢＣＣＨ）は、システム制御情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。
共通制御チャネル（ＣＣＣＨ）は、移動局装置とネットワーク間の制御情報を送信するために使用されるチャネルであり、ネットワークと無線リソース制御（ＲＲＣ：Radio Resource Control）接続を有していない移動局装置によって使用される。
【００３０】
専用制御チャネル（ＤＣＣＨ）は、１対１（point-to-point）の双方向チャネルであり、移動局装置とネットワーク間で個別の制御情報を送信するために利用するチャネルである。専用制御チャネル（ＤＣＣＨ）は、ＲＲＣ接続を有している移動局装置によって使用される。
専用トラフィックチャネル（ＤＴＣＨ）は、１対１の双方向チャネルであり、１つの移動局装置専用のチャネルであって、ユーザ情報（ユニキャストデータ）の転送のために利用される。
【００３１】
マルチキャスト制御チャネル（ＭＣＣＨ）は、ネットワークから移動局装置へＭＢＭＳ（Multimedia Broadcast Multicast Service：マルチメディアブロードキャストマルチキャストサービス）制御情報を、一対多（point-to-multipoint）送信するために使用される下りリンクチャネルである。これは、１対多でサービスを提供するＭＢＭＳサービスに使用される。
【００３２】
ＭＢＭＳサービスの送信方法としては、単セル一対多（ＳＣＰＴＭ：Single-Cell Point-to-Multipoint）送信と、マルチメディアブロードキャストマルチキャストサービス単一周波数網（ＭＢＳＦＮ：Multimedia Broadcast multicast service Single Frequency Network）送信とがある。
ＭＢＳＦＮ送信（MBSFN Transmission）とは、複数セルから同時に識別可能な波形（信号）を送信することで実現する同時送信技術である。一方、ＳＣＰＴＭ送信とは、１つの基地局装置でＭＢＭＳサービスを送信する方法である。
【００３３】
マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を一対多（point-to-multipoint）送信するために使用される下りリンクチャネルである。
なお、マルチキャスト制御チャネル（ＭＣＣＨ）およびマルチキャストトラフィックチャネル（ＭＴＣＨ）は、ＭＢＭＳを受信する移動局装置だけが利用する。
【００３４】
次に、トランスポートチャネルについて説明する。報知チャネル（ＢＣＨ）は、固定かつ事前に定義された送信形式によって、セル全体に報知される。下りリンク共用チャネル（ＤＬ−ＳＣＨ）では、ＨＡＲＱ（Hybrid Automatic Repeat Request：ハイブリッド自動再送要求）、動的適応無線リンク制御、間欠受信（ＤＲＸ：Discontinuous Reception）、ＭＢＭＳ送信がサポートされ、セル全体に報知される必要がある。
【００３５】
また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。
また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。
【００３６】
マルチキャストチャネル（ＭＣＨ）は、セル全体に報知される必要がある。また、マルチキャストチャネル（ＭＣＨ）では、複数セルからのＭＢＭＳ送信のＭＢＳＦＮ（MBMS Single Frequency Network）結合（Combining）や、拡張サイクリックプリフィックス（ＣＰ：Cyclic Prefix）を使う時間フレームなど、準静的リソース割り当てがサポートされる。
上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。
【００３７】
次に、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行わなくても良い。また、物理報知チャネル（ＰＢＣＨ）を含むサブフレームは、そのサブフレームだけで復号できる（自己復号可能（self-decodable）である）。
【００３８】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。
【００３９】
物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００４０】
物理上りリンク共用チャネル（ＰＵＳＣＨ）は、主に上りリンクデータ（ＵＬ−ＳＣＨ）を送信するために使用されるチャネルである。基地局装置１００が、移動局装置２００をスケジューリングした場合には、チャネルフィードバックレポート（下りリンクのチャネル品質識別子ＣＱＩ（Channel Quality Indicator）、プレコーディングマトリックス識別子ＰＭＩ（Precoding Matrix Indicator）、ランク識別子ＲＩ（Rank Indicator））や下りリンク送信に対するＨＡＲＱ肯定応答（ＡＣＫ：Acknowledgement）／否定応答（ＮＡＣＫ：Negative Acknowledgement）も物理上りリンク共用チャネル（ＰＵＳＣＨ）を使用して送信される。
【００４１】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＱＩ、ＰＭＩ、ＲＩ）、スケジューリング要求（ＳＲ：Scheduling Request）、下りリンク送信に対するＨＡＲＱ、肯定応答／否定応答などを送信するために使用されるチャネルである。
【００４２】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。
物理ハイブリッド自動再送要求指示チャネル（ＰＨＩＣＨ）は、上りリンク送信に対するＨＡＲＱ  ＡＣＫ／ＮＡＣＫを送信するために利用するチャネルである。
【００４３】
次に、本発明の第１の実施形態による通信システムによるチャネルマッピングについて説明する。
図１に示されるように、下りリンクでは、次のようにトランスポートチャネルと物理チャネルのマッピングが行われる。報知チャネル（ＢＣＨ）は、物理報知チャネル（ＰＢＣＨ）にマッピングされる。
【００４４】
マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。
物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００４５】
一方、上りリンクでは、次のようにトランスポートチャネルと物理チャネルのマッピングが行われる。上りリンク共用チャネル（ＵＬ−ＳＣＨ）は、物理上りリンク共用チャネル（ＰＵＳＣＨ）にマッピングされる。
ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。
【００４６】
また、下りリンクにおいて、次のように論理チャネルとトランスポートチャネルのマッピングが行われる。ページング制御チャネル（ＰＣＣＨ）は、ページングチャネル（ＰＣＨ）にマッピングされる。
報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。
【００４７】
マルチキャスト制御チャネル（ＭＣＣＨ）は、下りリンク共用チャネル（ＤＬ−ＳＣＨ）とマルチキャストチャネル（ＭＣＨ）にマッピングされる。マルチキャストトラフィックチャネル（ＭＴＣＨ）は、下りリンク共用チャネル（ＤＬ−ＳＣＨ）とマルチキャストチャネル（ＭＣＨ）にマッピングされる。
【００４８】
なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行われる一方、ＳＣＰＴＭ送信時は、このマッピングは下りリンク共用チャネル（ＤＬ−ＳＣＨ）にマッピングされる。
【００４９】
一方、上りリンクにおいて次のように論理チャネルとトランスポートチャネルのマッピングが行われる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルとマッピングされない。
次に、本発明の第１の実施形態による無線通信システムで用いるフレームの構成について説明する。
【００５０】
図３は、本発明の第１の実施形態による通信システムの下りリンクで用いるフレーム構成を示す図である。また、図４は、本発明の第１の実施形態による通信システムの上りリンクで用いるフレーム構成を示す図である。図３及び図４において、横軸は時間を示しており、縦軸は周波数を示している。
システムフレーム番号（ＳＦＮ：System Frame Number）で識別される無線フレームは１０ミリ秒（１０ｍｓ）で構成されている。また、１サブフレームは１ミリ秒（１ｍｓ）で構成されており、無線フレームには１０個のサブフレーム＃Ｆ０〜＃Ｆ９が含まれる。
【００５１】
図３に示すように、下りリンクで用いる無線フレームには、物理制御フォーマット指示チャネル（ＰＣＦＩＣＨ）、物理ハイブリッド自動再送要求指示チャネル（ＰＨＩＣＨ）、物理下りリンク制御チャネル（ＰＤＣＣＨ）、物理下りリンク同期信号、物理報知チャネル（ＰＢＣＨ）、物理下りリンク共用チャネル（ＰＤＳＣＨ）／物理マルチキャストチャネル（ＰＭＣＨ）、下りリンク参照信号が配置されている。
【００５２】
図４に示すように、上りリンクで用いる無線フレームには、物理ランダムアクセスチャネル（ＰＲＡＣＨ）、物理上りリンク制御チャネル（ＰＵＣＣＨ）、物理上りリンク共用チャネル（ＰＵＳＣＨ）、上りリンク復調用参照信号、上りリンク測定用参照信号が配置されている。
【００５３】
１サブフレーム（例えば、サブフレーム＃Ｆ０）は、２つのスロット＃Ｓ０、＃Ｓ１に分離される。通常のサイクリックプレフィックス（normal CP）が使用される場合、下りリンクのスロットは７個のＯＦＤＭシンボルで構成され（図３参照）、上りリンクのスロットは７個のＳＣ−ＦＤＭＡ（Single Carrier-Frequency Division Multiple Access）シンボルで構成される（図４参照）。
なお、拡張ＣＰ（long CP、または、extended CPとも称する）が使用される場合は、下りリンクのスロットは６個のＯＦＤＭシンボルで構成され、上りリンクのスロットは６個のＳＣ−ＦＤＭＡシンボルで構成される。
【００５４】
また、１つのスロットは周波数方向に複数のブロックに分割される。１５ｋＨｚのサブキャリア１２本を周波数方向の単位として、１個の物理リソースブロック（ＰＲＢ）を構成する。物理リソースブロック（ＰＲＢ）数は、システム帯域幅に応じて、６個から１１０個までサポートされる。図３、図４では、物理リソースブロック（ＰＲＢ）数が２５個の場合を示す。また、上りリンクと下りリンクで異なるシステム帯域幅を使用することも可能である。また、アグリゲーションにより、全システム帯域幅を１１０個以上にすることも可能である。通常コンポーネントキャリアは１００物理リソースブロックで構成し、コンポーネントキャリア間にガードバンドをはさんで、５個のコンポーネントキャリアで、全システム帯域幅を５００物理リソースブロックにすることができる。これを、帯域幅で表現すると、例えば、コンポーネントキャリアは２０ＭＨｚで構成し、コンポーネントキャリア間にガードバンドをはさんで、５個のコンポーネントキャリアで、全システム帯域幅を１００ＭＨｚにすることができる。
【００５５】
下りリンク、上りリンクのリソース割り当ては、時間方向にサブフレーム単位かつ周波数方向に物理リソースブロック（ＰＲＢ）単位で行われる。すなわち、サブフレーム内の２つのスロットは、一つのリソース割り当て信号で割り当てられる。
【００５６】
サブキャリアとＯＦＤＭシンボルまたはサブキャリアとＳＣ−ＦＤＭＡシンボルで構成される単位をリソースエレメントと称する。物理層でのリソースマッピング処理で各リソースエレメントに対して変調シンボルなどがマッピングされる。
【００５７】
下りリンクトランスポートチャネルの物理層での処理では、物理下りリンク共用チャネル（ＰＤＳＣＨ）に対する２４ビットの巡回冗長検査（ＣＲＣ：Cyclic Redundancy Check）の付与、チャネルコーディング（伝送路符号化）、物理層ＨＡＲＱ処理、チャネルインターリービング、スクランブリング、変調（ＱＰＳＫ（Quadrature Phase Shift Keying：４相位相偏移変調）、１６ＱＡＭ（Quadrature Amplitude Modulation：直交振幅変調）、６４ＱＡＭ）、レイヤマッピング、プレコーディング、リソースマッピング、アンテナマッピングなどが行われる。
【００５８】
一方、上りリンクトランスポートチャネルの物理層での処理では、物理上りリンク共用チャネル（ＰＵＳＣＨ）に対する２４ビットの巡回冗長検査（ＣＲＣ）の付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行われる。
【００５９】
物理下りリンク制御チャネル（ＰＤＣＣＨ）、物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。
物理下りリンク制御チャネル（ＰＤＣＣＨ）では、下りリンク共用チャネル（ＤＬ−ＳＣＨ）およびページングチャネル（ＰＣＨ）に対するトランスポートフォーマット（変調方式、符号化方式、トランスポートブロックサイズなどを規定する）、リソース割り当て、ＨＡＲＱ情報が送信される。
【００６０】
また、物理下りリンク制御チャネル（ＰＤＣＣＨ）では、上りリンク共用チャネル（ＵＬ−ＳＣＨ）に対するトランスポートフォーマット（変調方式、符号化方式、トランスポートブロックサイズなどを規定する）、リソース割り当て、ＨＡＲＱ情報が送信される。
また、複数の物理下りリンク制御チャネル（ＰＤＣＣＨ）がサポートされ、移動局装置は、物理下りリンク制御チャネル（ＰＤＣＣＨ）のセットをモニタリングする。
【００６１】
物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。
物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。
【００６２】
また、物理下りリンク制御チャネル（ＰＤＣＣＨ）による上り／下りリンクのリソース割り当てにおいて、移動局装置は、１６ビットのＭＡＣ層識別情報（ＭＡＣ  ＩＤ）を用いて特定される。すなわち、この１６ビットのＭＡＣ層識別情報（ＭＡＣ  ＩＤ）が物理下りリンク制御チャネル（ＰＤＣＣＨ）に含まれる。
【００６３】
また、下りリンク状態の測定用および下りリンクデータの復調用に使用される下りリンク参照信号（下りリンクパイロットチャネル）は、各スロットの１番目、２番目、後ろから３番目のＯＦＤＭシンボルに配置される。
一方、物理上りリンク共用チャネル（ＰＵＳＣＨ）の復調用に使用される上りリンク復調用参照信号（復調用パイロット（ＤＲＳ：Demodulation Reference Signal））は、各スロットの４番目のＳＣ−ＦＤＭＡシンボルで送信される。
【００６４】
また、上りリンク状態の測定用に使用される上りリンク測定用参照信号（スケジューリング用パイロット（ＳＲＳ：Sounding Reference Signal））は、サブフレームの最後のＳＣ−ＦＤＭＡシンボルで送信される。
物理上りリンク制御チャネル（ＰＵＣＣＨ）の復調用参照信号は、物理上りリンク制御チャネルのフォーマットごとに定義され、各スロットの３および４および５番目、または、各スロットの２番目および６番目のＳＣ−ＦＤＭＡシンボルで送信される。
【００６５】
また、物理報知チャネル（ＰＢＣＨ）、下りリンク同期信号は、システム帯域の中心６物理リソースブロック分の帯域に配置される。物理下りリンク同期信号は、１番目（サブフレーム＃Ｆ０）および５番目（サブフレーム＃Ｆ４）のサブフレームの各スロットの６番目、７番目のＯＦＤＭシンボルで送信される。
物理報知チャネル（ＰＢＣＨ）は、１番目のサブフレーム（サブフレーム＃Ｆ０）の１番目のスロット（スロット＃Ｓ０）の４番目、５番目のＯＦＤＭシンボルと２番目のスロット（スロット＃Ｓ１）の１番目、２番目のＯＦＤＭシンボルで送信される。
【００６６】
また、物理ランダムアクセスチャネル（ＰＲＡＣＨ）は、周波数方向に６個の物理リソースブロック分の帯域幅、時間方向に１サブフレームで構成される。移動局装置から基地局装置にさまざまな理由で要求（上りリンクリソースの要求、上りリンク同期の要求、下りリンクデータ送信再開要求、ハンドオーバー要求、接続設定要求、再接続要求、ＭＢＭＳサービス要求など）を行うために送信される。
【００６７】
物理上りリンク制御チャネル（ＰＵＣＣＨ）は、システム帯域の両端に配置され、物理リソースブロック単位で構成される。スロット間でシステム帯域の両端が交互に使用されるように周波数ホッピングが行われる。
【００６８】
図５は、本発明の第１の実施形態による基地局装置１００の構成を示す概略ブロック図である。基地局装置１００は、データ制御部１０１、ＯＦＤＭ変調部１０２、無線部１０３、スケジューリング部１０４、チャネル推定部１０５、ＤＦＴ−Ｓ−ＯＦＤＭ（ＤＦＴ−Ｓｐｒｅａｄ−ＯＦＤＭ）復調部１０６、データ抽出部１０７、上位層１０８、アンテナ部Ａ１を備えている。
【００６９】
無線部１０３、スケジューリング部１０４、チャネル推定部１０５、ＤＦＴ−Ｓ−ＯＦＤＭ復調部１０６、データ抽出部１０７、上位層１０８およびアンテナ部Ａ１は、受信部を構成している。また、データ制御部１０１、ＯＦＤＭ変調部１０２、無線部１０３、スケジューリング部１０４、上位層１０８およびアンテナ部Ａ１は、送信部を構成している。それぞれの送信部、受信部の一部は、コンポーネントキャリアごとに別々に処理するように構成され、一部は、コンポーネントキャリア間で共通の処理を行うように構成されている。
【００７０】
アンテナ部Ａ１、無線部１０３、チャネル推定部１０５、ＤＦＴ−Ｓ−ＯＦＤＭ復調部１０６およびデータ抽出部１０７は、上りリンクの物理層の処理を行う。アンテナ部Ａ１、データ制御部１０１、ＯＦＤＭ変調部１０２および無線部１０３は、下りリンクの物理層の処理を行う。
データ制御部１０１は、スケジューリング部１０４からトランスポートチャネルを取得する。データ制御部１０１は、トランスポートチャネルと、スケジューリング部１０４から入力されるスケジューリング情報に基づいて物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２へ出力される。
【００７１】
ＯＦＤＭ変調部１０２は、データ制御部１０１から入力されたデータに対して、スケジューリング部１０４から入力されるスケジューリング情報（下りリンク物理リソースブロック（ＰＲＢ）割り当て情報（例えば、周波数、時間など物理リソースブロック位置情報）や、各下りリンク物理リソースブロック（ＰＲＢ）に対応する変調方式および符号化方式（例えば、１６ＱＡＭ変調、２／３コーディングレート）などを含む）に基づいて、符号化、データ変調、入力信号の直列／並列変換、ＩＦＦＴ（Inverse Fast Fourier Transform：逆高速フーリエ変換）処理、サイクリックプレフィックス（ＣＰ）の挿入、並びに、フィルタリングなどＯＦＤＭ信号処理を行い、ＯＦＤＭ信号を生成して、無線部１０３へ出力する。
【００７２】
無線部１０３は、ＯＦＤＭ変調部１０２から入力された変調データを無線周波数にアップコンバートして無線信号を生成し、アンテナ部Ａ１を介して、移動局装置２００に送信する。また、無線部１０３は、移動局装置２００からの上りリンクの無線信号を、アンテナ部Ａ１を介して受信し、ベースバンド信号にダウンコンバートして、受信データをチャネル推定部１０５とＤＦＴ−Ｓ−ＯＦＤＭ復調部１０６とに出力する。
【００７３】
スケジューリング部１０４は、媒体アクセス制御（ＭＡＣ：Medium Access Control）層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【００７４】
スケジューリング部１０４は、下りリンクのスケジューリングでは、移動局装置２００から受信したフィードバック情報（下りリンクのチャネルフィードバックレポート（チャネル品質（ＣＱＩ）、ストリームの数（ＲＩ）、プレコーディング情報（ＰＭＩ）など））や、下りリンクデータに対するＡＣＫ／ＮＡＣＫフィードバック情報など）、各移動局装置の使用可能な下りリンク物理リソースブロック（ＰＲＢ）の情報、バッファ状況、上位層１０８から入力されたスケジューリング情報などに基づいて、各データを変調するための下りリンクのトランスポートフォーマット（送信形態）（物理リソースブロック（ＰＲＢ）の割り当ておよび変調方式および符号化方式など）の選定処理、ＨＡＲＱにおける再送制御および下りリンクのスケジューリングに使用されるスケジューリング情報の生成を行う。これら下りリンクのスケジューリングに使用されるスケジューリング情報は、データ制御部１０１およびデータ抽出部１０７へ出力される。
【００７５】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能な下りリンク物理リソースブロック（ＰＲＢ）の情報、上位層１０８から入力されたスケジューリング情報などに基づいて、各データを変調するための上りリンクのトランスポートフォーマット（送信形態）（物理リソースブロック（ＰＲＢ）の割り当ておよび変調方式および符号化方式など）の選定処理および上りリンクのスケジューリングに使用されるスケジューリング情報の生成を行う。
これら上りリンクのスケジューリングに使用されるスケジューリング情報は、データ制御部１０１およびデータ抽出部１０７へ出力される。
【００７６】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００７７】
チャネル推定部１０５は、上りリンクデータの復調のために、上りリンク復調用参照信号（ＤＲＳ：Demodulation Reference Signal）から上りリンクのチャネル状態を推定し、その推定結果をＤＦＴ−Ｓ−ＯＦＤＭ復調部１０６に出力する。また、上りリンクのスケジューリングを行うために、上りリンク測定用参照信号（ＳＲＳ：Sounding Reference Signal）から上りリンクのチャネル状態を推定し、その推定結果をスケジューリング部１０４に出力する。
なお、上りリンクの通信方式は、ＤＦＴ−Ｓ−ＯＦＤＭ等のようなシングルキャリア方式を想定しているが、ＯＦＤＭ方式のようなマルチキャリア方式を用いても良い。
【００７８】
ＤＦＴ−Ｓ−ＯＦＤＭ復調部１０６は、チャネル推定部１０５から入力された上りリンクのチャネル状態推定結果に基づいて、無線部１０３から入力された変調データに対し、ＤＦＴ（Discrete Fourier Transform：離散フーリエ変換）変換、サブキャリアマッピング、ＩＦＦＴ変換、フィルタリング等のＤＦＴ−Ｓ−ＯＦＤＭ信号処理を行って、復調処理を施し、データ抽出部１０７に出力する。
【００７９】
データ抽出部１０７は、スケジューリング部１０４からのスケジューリング情報に基づいて、ＤＦＴ−Ｓ−ＯＦＤＭ復調部１０６から入力されたデータに対して、正誤を確認するとともに、確認結果（肯定信号ＡＣＫ／否定信号ＮＡＣＫ）をスケジューリング部１０４に出力する。
また、データ抽出部１０７は、スケジューリング部１０４からのスケジューリング情報に基づいて、ＤＦＴ−Ｓ−ＯＦＤＭ復調部１０６から入力されたデータからトランスポートチャネルと物理層の制御データとに分離して、スケジューリング部１０４に出力する。
分離された制御データには、移動局装置２００から通知されたフィードバック情報（下りリンクのチャネルフィードバックレポート（ＣＱＩ、ＰＭＩ、ＲＩ）、下りリンクのデータに対するＡＣＫ／ＮＡＣＫフィードバック情報）などが含まれている。
【００８０】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。上位層１０８は、下位層の処理部を統合して制御するため、上位層１０８と、スケジューリング部１０４、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【００８１】
上位層１０８は、無線リソース制御部１０９を有している。また、無線リソース制御部１０９は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行っている。上位層１０８は、別の基地局装置への情報および上位ノードへの情報の授受を行う。
【００８２】
図６は、本発明の第１の実施形態による移動局装置２００の構成を示す概略ブロック図である。移動局装置２００は、データ制御部２０１、ＤＦＴ−Ｓ−ＯＦＤＭ変調部２０２、無線部２０３、スケジューリング部２０４、チャネル推定部２０５、ＯＦＤＭ復調部２０６、データ抽出部２０７、上位層２０８、アンテナ部Ａ２を備えている。
データ制御部２０１、ＤＦＴ−Ｓ−ＯＦＤＭ変調部２０２、無線部２０３、スケジューリング部２０４、上位層２０８およびアンテナ部Ａ２は、送信部を構成している。また、無線部２０３、スケジューリング部２０４、チャネル推定部２０５、ＯＦＤＭ復調部２０６、データ抽出部２０７、上位層２０８およびアンテナ部Ａ２は、受信部を構成している。また、スケジューリング部２０４は、選択部を構成している。
【００８３】
アンテナ部Ａ２、データ制御部２０１、ＤＦＴ−Ｓ−ＯＦＤＭ変調部２０２および無線部２０３は、上りリンクの物理層の処理を行う。アンテナ部Ａ２、無線部２０３、チャネル推定部２０５、ＯＦＤＭ復調部２０６およびデータ抽出部２０７は、下りリンクの物理層の処理を行う。それぞれの送信部、受信部の一部は、コンポーネントキャリアごとに別々に処理するように構成され、一部は、コンポーネントキャリア間で共通の処理を行うように構成されている。
【００８４】
データ制御部２０１は、スケジューリング部２０４からトランスポートチャネルを取得する。データ制御部２０１は、トランスポートチャネルと、スケジューリング部２０４から入力されるスケジューリング情報に基づいて物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２へ出力される。
【００８５】
ＤＦＴ−Ｓ−ＯＦＤＭ変調部２０２は、データ制御部２０１から入力されたデータに対し、データ変調、ＤＦＴ処理、サブキャリアマッピング、逆高速フーリエ変換（ＩＦＦＴ）処理、サイクリックプレフィックス（ＣＰ）挿入、フィルタリングなどのＤＦＴ−Ｓ−ＯＦＤＭ信号処理を行い、ＤＦＴ−Ｓ−ＯＦＤＭ信号を生成して、無線部２０３へ出力する。
なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。
【００８６】
無線部２０３は、ＤＦＴ−Ｓ−ＯＦＤＭ変調部２０２から入力された変調データを無線周波数にアップコンバートして無線信号を生成し、アンテナ部Ａ２を介して、基地局装置１００に送信する。
また、無線部２０３は、基地局装置１００からの下りリンクのデータで変調された無線信号を、アンテナ部Ａ２を介して受信し、ベースバンド信号にダウンコンバートして、受信データを、チャネル推定部２０５およびＯＦＤＭ復調部２０６に出力する。
【００８７】
スケジューリング部２０４は、媒体アクセス制御層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、図示しない。
【００８８】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行う。これら下りリンクのスケジューリングに使用されるスケジューリング情報は、データ制御部２０１およびデータ抽出部２０７へ出力される。
【００８９】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行う。
なお、上りリンクのトランスポートフォーマットについては、基地局装置１００から通知された情報を利用する。これらスケジューリング情報は、データ制御部２０１およびデータ抽出部２０７へ出力される。
【００９０】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネルフィードバックレポート（ＣＱＩ、ＰＭＩ、ＲＩ）や、データ抽出部２０７から入力されたＣＲＣ確認結果についても、データ制御部２０１へ出力する。
また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００９１】
チャネル推定部２０５は、下りリンクデータの復調のために、下りリンク参照信号（ＲＳ）から下りリンクのチャネル状態を推定し、その推定結果をＯＦＤＭ復調部２０６に出力する。
また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネルフィードバックレポート（チャネル品質情報など）に変換して、スケジューリング部２０４に出力する。
【００９２】
ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。
データ抽出部２０７は、ＯＦＤＭ復調部２０６から入力されたデータに対して、巡回冗長検査（ＣＲＣ）を行い、正誤を確認するとともに、確認結果（ＡＣＫ／ＮＡＣＫフィードバック情報）をスケジューリング部２０４に出力する。
【００９３】
また、データ抽出部２０７は、スケジューリング部２０４からのスケジューリング情報に基づいて、ＯＦＤＭ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。このとき、物理下りリンク制御信号（ＰＤＣＣＨ）の検索空間（検索領域ともいう）をデコード処理し、自局宛の下りリンクまたは上りリンクのリソース割り当てなどを抽出する。
【００９４】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。上位層２０８は、無線リソース制御部２０９を有している。上位層２０８は、下位層の処理部を統合して制御するため、上位層２０８と、スケジューリング部２０４、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、図示しない。
【００９５】
無線リソース制御部２０９は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行う。
【００９６】
第１の実施形態の説明に戻り、基地局装置１００と移動局装置２００の処理について説明する。
ＤＬマスター領域とは、移動局装置が最初にアクセスする下りリンク周波数層（コンポーネントキャリアまたはコンポーネントキャリア群）であり、移動局装置は、この領域の信号を取得した後、他の領域（スレーブ領域）にアクセス可能である。少なくとも下りリンク同期を取得可能な下りリンク同期信号（ＳＣＨ）が配置される。
ＤＬスレーブ領域とは、移動局装置がマスター領域での情報を取得後にアクセスする、または、基地局装置による追加指示後にアクセスする、下りリンク周波数層（コンポーネントキャリアまたはコンポーネントキャリア群）である。
【００９７】
ＵＬマスター領域とは、移動局装置が最初にアクセスする上りリンク周波数層（コンポーネントキャリアまたはコンポーネントキャリア群）であり、ＤＬマスター領域で指定された、または、ＤＬマスター領域と対応付けられたコンポーネントキャリアまたはコンポーネントキャリア群である。
ＵＬスレーブ領域とは、移動局装置がＵＬマスター領域での通信後にアクセスする、または、基地局装置による追加指示後にアクセスする、上りリンク周波数層（コンポーネントキャリアまたはコンポーネントキャリア群）である。
以降、単にマスター領域、スレーブ領域と言う場合には、ＤＬマスター領域および／またはＵＬマスター領域、ＤＬスレーブ領域および／またはＵＬスレーブ領域を意味している。
【００９８】
スレーブ領域では、特定のチャネル（下りリンク同期信号（ＳＣＨ）および／または物理下りリンク報知チャネル（ＰＢＣＨ）および／または報知制御チャネル（ＢＣＣＨ）および／またはページング制御チャネル（ＰＣＣＨ）および／または共通制御チャネル（ＣＣＣＨ）および／または物理上りリンク制御チャネル（ＰＵＣＣＨ）など）が存在しない場合がある。
【００９９】
それぞれの移動局装置にとってのマスター領域およびスレーブ領域は異なっても良い。すなわち、ある移動局装置にとってのマスター領域が、別の移動局装置にとってのスレーブ領域となるように構成されても良い。その場合、ある移動局装置にとってのスレーブ領域においても下りリンク同期信号（ＳＣＨ）が配置される場合がある。
マスター領域とスレーブ領域は、隣接したキャリア周波数に配置されていても良いし、離れたキャリア周波数に配置されても良い。
【０１００】
ＲＲＣで管理されるシステム情報要素（パラメータ）は、報知制御チャネル（ＢＣＣＨ）で報知されたり、共通制御チャネル（ＣＣＣＨ）および／または専用制御チャネル（ＤＣＣＨ）のＲＲＣシグナリングで、基地局装置から移動局装置へ通知されたりする。
このＲＲＣで管理されるシステム情報要素（ＩＥ：Information Element）を、すべてのコンポーネントキャリアで共通として使用するパラメータ（ＣＣＣ：Component Carrier Common）とコンポーネントキャリアごとに異なる（コンポーネントキャリアそれぞれで固有の）パラメータ（ＣＣＤ：Component Carrier Dedicated）とに分類して管理する。
すべてのコンポーネントキャリアで共通として使用するシステム情報要素をＣＣＣシステム情報要素（ＣＣＣＩＥ）と呼び、コンポーネントキャリアごとに異なるシステム情報要素をＣＣＤシステム情報要素（ＣＣＤＩＥ）と呼ぶ。
【０１０１】
例えば、ＣＣＣＩＥの例としては、plmn-Identity、si-Periodicity、cellIdentityなどのＩＥである。ＣＣＤＩＤの例としては、trackingAreaCode、cellBarred、q-Hyst、t-ReselectionEUTRANなどのＩｄｌｅ状態時に使用するＩＥや、systemInformationValueTag、radioResourceConfigCommonなどのＣｏｎｎｅｃｔｅｄ状態時に使用するＩＥである。Ｉｄｌｅ状態時には一つのコンポーネントキャリアにのみキャンプするようにすれば、ＣＣＣＩＥであってもＣＣＤＩＥであっても一つのコンポーネントキャリア分しか管理しなくてもよい。
【０１０２】
ＣＣＣＩＥとＣＣＤＩＥを混在させたシステム情報ブロックＳＩＢ（System Information Block）（同じ送信周期で送られる複数ＩＥのかたまり）だけではなく、新たにＣＣＤＩＥだけのＳＩＢを用意することによって、スケジューリングや移動局装置のＩＥ管理を容易にさせるようにしても良い。
【０１０３】
ＲＲＣシグナリングで、ＣＣＤＩＥを通知する場合、コンポーネントキャリアの番号を指定してＩＥを通知するような新たなＲＲＣメッセージのタイプを用意しても良いし、コンポーネントキャリアの番号を指定してＩＥを通知するような、ＲＲＣ接続再設定メッセージ（RRCConnectionReconfiguration Message）を拡張し、コンポーネントキャリアの番号を指定してＩＥを通知できるようにしても良い。
ＳＩＢでＣＣＤＩＥを通知する場合にも、ＣＣＤＩＥを適用するコンポーネントキャリアの番号を指定してＩＥを通知する。
【０１０４】
図７は、本発明の第１の実施形態による無線通信システムの処理を示すシーケンス図である。
始めに、移動局装置２００は、セル選択やセル再選択処理によって、基地局装置１００の下りリンク同期信号（ＳＣＨ）を取得し、下りリンクの同期処理を行う（ステップＳ１０１）。この際、下りリンク同期信号（ＳＣＨ）は、マスター領域Ｚ０１に配置される。
【０１０５】
移動局装置２００は、マスター領域Ｚ０１で操作されるように物理報知チャネル（ＰＢＣＨ）や物理下りリンク共用チャネル（ＰＤＳＣＨ）で送信される報知制御チャネル（ＢＣＣＨ）を取得する（ステップＳ１０２）。この際、報知制御チャネル（ＢＣＣＨ）から、マスター領域Ｚ０１に関する情報（マスター領域Ｚ０１のシステム帯域幅（リソースブロック数）など）を取得する（ステップＳ１０３）。さらに、マスター領域Ｚ０１で操作されるように継続する処理を行う。
【０１０６】
移動局装置２００は、マスター領域Ｚ０１で、ＲＲＣ接続確立処理を行い、通信状態（ＲＲＣ接続状態）を確立する。このＲＲＣ接続確立処理中のＲＲＣ接続セットアップ（共通制御チャネル（ＣＣＣＨ）（ＲＲＣシグナリング））や、通信中の移動局装置２００への専用制御チャネル（ＤＣＣＨ）（ＲＲＣシグナリング）にて、基地局装置１００から移動局装置２００へ、コンポーネントキャリア追加に関する情報（マスター領域のシステム帯域幅（リソースブロック数）および／またはスレーブ領域Ｚ０２のキャリア周波数やシステム帯域幅（リソースブロック数）などを示す情報、および／または移動局装置２００のバージョン情報など）が通知される（ステップＳ１０４）。
【０１０７】
この共通制御チャネル（ＣＣＣＨ）や、専用制御チャネル（ＤＣＣＨ）は、マスター領域Ｚ０１で下りリンク共用チャネル（ＤＬ−ＳＣＨ）にマッピングされる。この下りリンク共用チャネル（ＤＬ−ＳＣＨ）は、物理下りリンク制御チャネル（ＰＤＣＣＨ）によって指定された物理下りリンク共用チャネルの動的なリソースで送信される。
【０１０８】
コンポーネントキャリア追加に関する情報を取得した移動局装置２００は、無線部２０３をスレーブ領域Ｚ０２まで受信できるように調整する。
移動局装置２００は、コンポーネントキャリア追加に関する情報を取得後、ＣＣＤに定義されたシステム情報要素を、スレーブ領域で報知されている報知制御チャネル（ＢＣＣＨ）から取得する。または、基地局装置１００は、共通制御チャネル（ＣＣＣＨ）や専用制御チャネル（ＤＣＣＨ）で送信されるＲＲＣシグナリングにて、コンポーネントキャリア追加に関する情報と共にＣＣＤに定義されたＣＣＤシステム情報要素を移動局装置２００に通知する。
【０１０９】
移動局装置２００は、基地局装置１００からＲＲＣシグナリングにて通知されたＣＣＤシステム情報要素を取得すると、コンポーネントキャリアごとにこのＣＣＤシステム情報要素を管理する（ステップＳ１０５）。すなわち、移動局装置２００は、コンポーネントキャリア１、コンポーネントキャリア２、…、コンポーネントキャリアｎごとのＣＣＤシステム情報要素、ＣＣＤＩＥ１、ＣＣＤＩＥ２、…、ＣＣＤＩＥｎを管理すると共に、コンポーネントキャリア間で共通のＣＣＣシステム情報要素、ＣＣＣＩＥを管理する。
移動局装置２００は、ＣＣＤＩＥを取得したコンポーネントキャリアから、それぞれのコンポーネントキャリアでの通信を開始してもよいし、基地局装置１００から指定された、追加されたコンポーネントキャリアすべてのＣＣＤＩＥを取得後、追加されたコンポーネントキャリアでの通信を開始してもよい。
【０１１０】
基地局装置１００は、収容帯域に複数のマスター領域Ｚ０１を持つ場合、移動局装置２００のマスター領域Ｚ０１を検出する必要がある。移動局装置２００のマスター領域Ｚ０１は、物理ランダムアクセスチャネル（ＰＲＡＣＨ）またはランダムアクセスチャネル（ＲＡＣＨ）を使用して検出するか、または、移動局装置２００のマスター領域Ｚ０１は、共通制御チャネル（ＣＣＣＨ）にて、ランダムアクセス手続き中に移動局装置２００から基地局装置１００へ通知される。
また、移動局装置２００のマスター領域Ｚ０１は、専用制御チャネル（ＤＣＣＨ）（ＲＲＣシグナリング）にて、基地局装置１００から指定し、変更可能である。
【０１１１】
図７のシーケンス図の左側の図は、移動局装置２００がそれぞれのステップで受信可能な周波数領域および使用しているシステム情報要素を示している。ステップＳ１０１からステップＳ１０３までは、マスター領域Ｚ０１の一部に配置される物理報知チャネルの取得に必要な領域のリソース、ステップＳ１０３からステップＳ１０５までは、マスター領域Ｚ０１の領域のリソース、ステップＳ１０５以降では、マスター領域Ｚ０１およびスレーブ領域Ｚ０２の領域のリソースを、移動局装置２００は受信可能である。
【０１１２】
さらに、上りリンクと下りリンクそれぞれでＣＣＤとＣＣＣを別々に管理する方法を説明する。ＲＲＣで管理されるシステム情報要素（ＩＥ：Information Element）を、下りリンクのすべてのコンポーネントキャリアで共通として使用するパラメータ（ＣＣＣＤＬ：Component Carrier Common Downlink）と下りリンクのコンポーネントキャリアごとに異なるパラメータ（ＣＣＤＤＬ：Component Carrier Dedicated Downlink）、上りリンクのすべてのコンポーネントキャリアで共通として使用するパラメータ（ＣＣＣＵＬ：Component Carrier Common Uplink）と上りリンクのコンポーネントキャリアごとに異なるパラメータ（ＣＣＤＵＬ：Component Carrier Dedicated Uplink）、とに分類して管理する。
【０１１３】
ステップ１０４で、移動局装置２００は、コンポーネントキャリア追加に関する情報を取得後、コンポーネントキャリア追加に関する情報が、上りリンクコンポーネントキャリア追加であるのか、下りリンクコンポーネントキャリア追加であるのか、下りリンクおよび上りリンクコンポーネントキャリア追加であるのかを判断する。すなわち、コンポーネント追加用のＲＲＣシグナリングに、追加されるコンポーネントキャリアが上りリンクなのか下りリンクなのかという指定がされることになる。
【０１１４】
移動局装置２００は、コンポーネントキャリア追加が上りリンクの場合、ＣＣＤＵＬに定義されたシステム情報要素を、コンポーネントキャリア追加が下りリンクの場合、ＣＣＤＤＬに定義されたシステム情報要素を、コンポーネントキャリア追加が下りリンクおよび上りリンクの場合、ＣＣＤＤＬおよびＣＣＤＵＬに定義されたシステム情報要素を、スレーブ領域で報知されている報知制御チャネル（ＢＣＣＨ）から取得する。または、基地局装置１００は、共通制御チャネル（ＣＣＣＨ）や専用制御チャネル（ＤＣＣＨ）で送信されるＲＲＣシグナリングにて、コンポーネントキャリア追加に関する情報と共にＣＣＤＤＬおよび／またはＣＣＤＵＬに定義されたＣＣＤシステム情報要素を移動局装置２００に通知する。
【０１１５】
移動局装置２００は、基地局装置１００からＲＲＣシグナリングにて通知されたＣＣＤシステム情報要素を取得すると、上りリンクコンポーネントキャリアごと、下りリンクコンポーネントキャリアごとにＣＣＤシステム情報要素を管理する。すなわち、移動局装置２００は、ＵＬコンポーネントキャリア１、ＵＬコンポーネントキャリア２、…、ＵｌコンポーネントキャリアｎごとのＣＣＤＵＬシステム情報要素（ＣＣＤＵＬＩＥ１、ＣＣＤＵＬＩＥ２、…、ＣＣＤＵＬＩＥｎ）を管理すると共に、ＤＬコンポーネントキャリア１、ＤＬコンポーネントキャリア２、…、ＤＬコンポーネントキャリアｍごとのＣＣＤＤＬシステム情報要素（ＣＣＤＤＬＩＥ１、ＣＣＤＤＬＩＥ２、…、ＣＣＤＤＬＩＥｍ）を管理すると共に、コンポーネントキャリア間で共通のＣＣＣシステム情報要素、ＣＣＣＩＥを管理する。
【０１１６】
移動局装置２００は、ＣＣＤＵＬＩＥを取得した上りリンクコンポーネントキャリアから、それぞれの上りリンクコンポーネントキャリアでの通信を開始し、ＣＣＤＤＬＩＥを取得した下りリンクコンポーネントキャリアから、それぞれの下りリンクコンポーネントキャリアでの通信を開始してもよいし、基地局装置１００から指定された、追加された上りリンクおよび／または下りリンクコンポーネントキャリアすべてのＣＣＤＤＬＩＥおよび／またはＣＣＤＵＬＩＥを取得後、追加された上りリンクおよび／または下りリンクコンポーネントキャリアでの通信を開始してもよい。
【０１１７】
続いて、図８を参照しながらシステム情報の変更通知の処理手順の第１の方法について説明する。システム情報の変更は、ページングチャネル（ＰＣＨ）を用いて通知される。ＣＣＤＩＥおよび／またはＣＣＣＩＥが、変更される場合には、基地局装置１００は、ページングチャネル（ＰＣＨ）に変更通知を含めて、システム内の移動局装置に対して通知する（ステップＳ２０１）。
【０１１８】
移動局装置２００は、ページングチャネル（ＰＣＨ）にシステム情報の変更通知が含まれている場合には、移動局がアクセスしているコンポーネントキャリア群内の各下りリンクコンポーネントキャリアまたは各下りリンクコンポーネントキャリア群にて報知されているそれぞれの値タグ（Ｖａｌｕｅ  Ｔａｇ）を検証する（ステップＳ２０２、ステップＳ２０３）。値タグ（Ｖａｌｕｅ  Ｔａｇ）とは、システム情報が更新されるたびにインクリメントされる値で、移動局装置が、システム情報が更新されたかどうかを確認するために使用する報知情報であり、報知制御チャネル（ＢＣＣＨ）で送信される（ステップＳ２０４）。複数のコンポーネントキャリアで構成されるシステムの場合、値タグ（Ｖａｌｕｅ  Ｔａｇ）は、値タグ（Ｖａｌｕｅ  Ｔａｇ）が配置されるコンポーネントキャリアでのシステム情報が更新されたかどうかを示す。
【０１１９】
移動局装置２００が保持しているＶａｌｕｅ  Ｔａｇと異なるＶａｌｕｅ  Ｔａｇの値である下りリンクコンポーネントキャリアのシステム情報（報知制御チャネル（ＢＣＣＨ））を再読み込みし、システム情報の更新を行う。すなわち、更新されたコンポーネントキャリアのシステム情報のみ移動局装置２００は再読み込みおよび更新することになる（ステップＳ２０５）。
この場合、複数のコンポーネントキャリアで通信している移動局装置２００は、各コンポーネントキャリアのページングチャネル（ＰＣＨ）をモニタリングすることになる。
【０１２０】
続いて、図９を参照しながらシステム情報の変更通知の処理手順の第２の方法について説明する。システム情報の変更は、ページングチャネル（ＰＣＨ）を用いて通知される。ＣＣＤＩＥおよび／またはＣＣＣＩＥが、変更される場合には、基地局装置１００は、ページングチャネル（ＰＣＨ）に変更通知を含めて、システム内の移動局装置に対して通知する（ステップＳ３０１）。
【０１２１】
基地局装置１００は、ＣＣＣＩＥが変更されたときには、ページングチャネル（ＰＣＨ）に通常の変更通知を配置し、移動局装置２００にシステム情報が変更されたことを通知する。ＣＣＤＩＥが変更されたときには、実際に変更されたコンポーネントキャリアのページングチャネル（ＰＣＨ）では、通常のシステム情報の変更通知が送信される。ＣＣＤＩＥが変更されたときには、実際に変更されたコンポーネントキャリア以外のコンポーネントキャリアのページングチャネル（ＰＣＨ）では、特別なシステム情報の変更通知（このコンポーネントキャリア以外のコンポーネントキャリアでシステム情報の変更がされることを示す変更通知）が送信される。
【０１２２】
この場合、一つのコンポーネントキャリアで通信している移動局装置は、特別なシステム情報の変更を読まない。また、移動局装置のリリースバージョンが古く、一つのコンポーネントキャリアでしか通信できない移動局装置には、この特別なシステム情報の変更が読めないように符号化される。移動局装置のリリースバージョンが古く、一つのコンポーネントキャリアでしか通信できない移動局装置は、この特別なシステム情報の変更通知に気づかない。これは、例えば、ページングチャネル（ＰＣＨ）に、この特別なシステム情報の変更通知をオプション情報として符号化したり、ページングチャネル（ＰＣＨ）をスケジューリングする際に使用される物理下りリンク制御チャネル（ＰＤＣＣＨ）に、特別な情報を付与して送信したりすることで、複数のコンポーネントキャリアで通信している移動局装置のみが、この特別なシステム情報の変更通知を受信できるようにする。
【０１２３】
ページングチャネル（ＰＣＨ）をスケジューリングする際に使用される物理下りリンク制御チャネル（ＰＤＣＣＨ）に、特別な情報を付与する方法としては、例えば、単純に特別なシステム情報の変更通知であることを示すフラグが配置され、そのフラグの値によって移動局装置２００がページングチャネル（ＰＣＨ）の種類を判別する方法や、物理下りリンク制御チャネル（ＰＤＣＣＨ）に配置されるＭＡＣ  ＩＤの値を通常のページングチャネル（ＰＣＨ）に使用されるＰＩ−ＲＮＴＩとは異なるＳＰＩ−ＲＮＴＩとし、そのＭＡＣ  ＩＤの値によって移動局装置２００がページングチャネル（ＰＣＨ）の種類を判別する方法などが使用される。
【０１２４】
移動局装置２００は、ページングチャネル（ＰＣＨ）に通常のシステム情報の変更通知が含まれている場合には、ページングチャネル（ＰＣＨ）がおかれているコンポーネントキャリアにて報知されている値タグ（Ｖａｌｕｅ  Ｔａｇ）を検証し（ステップＳ３０２、ステップＳ３０３）、移動局装置２００が保持しているＶａｌｕｅ  Ｔａｇと異なるＶａｌｕｅ  Ｔａｇの値の場合、システム情報を再読み込みし、システム情報の更新を行う（ステップＳ３０４、ステップＳ３０５）。
【０１２５】
移動局装置２００は、ページングチャネル（ＰＣＨ）に特別なシステム情報の変更通知が含まれている場合には、移動局がアクセスしているコンポーネントキャリア群内の各下りリンクコンポーネントキャリアまたは各下りリンクコンポーネントキャリア群にて報知されているそれぞれの値タグ（Ｖａｌｕｅ  Ｔａｇ）を検証する（ステップＳ３０２、ステップＳ３０３）。移動局装置２００が保持しているＶａｌｕｅ  Ｔａｇと異なるＶａｌｕｅ  Ｔａｇの値である下りリンクコンポーネントキャリアのシステム情報を再読み込みし、システム情報の更新を行う（ステップＳ３０４、ステップＳ３０５）。移動局装置２００は、ページングチャネル（ＰＣＨ）に特別なシステム情報の変更通知が含まれている場合には、検証するべきＶａｌｕｅ  Ｔａｇのコンポーネントキャリアから、特別なシステム情報の変更通知が含まれているページングチャネル（ＰＣＨ）が配置されたコンポーネントキャリアを除外してもよい。
【０１２６】
すなわち、更新されたコンポーネントキャリアのシステム情報のみ移動局装置２００は再読み込みおよび更新することになる。
この場合、複数のコンポーネントキャリアで通信している移動局装置２００は、複数のコンポーネントキャリア内の一つのページングチャネル（ＰＣＨ）を受信すればよいことになる。
【０１２７】
続いて、図１０を参照しながらシステム情報の変更通知の処理手順の第３の方法について説明する。システム情報の変更は、ページングチャネル（ＰＣＨ）を用いて通知される。ＣＣＤＩＥおよび／またはＣＣＣＩＥが、変更される場合には、基地局装置１００は、ページングチャネル（ＰＣＨ）に変更通知を含めて、システム内の移動局装置に対して通知する（ステップＳ４０１）。
【０１２８】
基地局装置１００は、ＣＣＣＩＥが変更されたときには、ページングチャネル（ＰＣＨ）に通常の変更通知を配置し、移動局装置２００にシステム情報が変更されたことを通知する。ＣＣＤＩＥが変更されたときには、実際に変更されたコンポーネントキャリアのページングチャネル（ＰＣＨ）では、通常のシステム情報の変更通知が送信される。ＣＣＤＩＥが変更されたときには、実際に変更されたコンポーネントキャリア以外のコンポーネントキャリアのページングチャネル（ＰＣＨ）では、特別なシステム情報の変更通知（このコンポーネントキャリア以外のコンポーネントキャリアでシステム情報の変更がされることを示す変更通知）が送信される。
【０１２９】
この場合、一つのコンポーネントキャリアで通信している移動局装置は、特別なシステム情報の変更を読まない。また、移動局装置のリリースバージョンが古く、一つのコンポーネントキャリアでしか通信できない移動局装置には、この特別なシステム情報の変更が読めないように符号化される。移動局装置のリリースバージョンが古く、一つのコンポーネントキャリアでしか通信できない移動局装置は、この特別なシステム情報の変更通知に気づかない。特別なシステム情報の変更通知の通知方法は、上記で説明した第２の方法と同様である。
【０１３０】
ただし、第３の方法では、特別なシステム情報の変更通知には、変更されたシステム情報を有するコンポーネントキャリアを示す情報が含まれる。この変更されたシステム情報を有するコンポーネントキャリアを示す情報によって、移動局装置２００が更新する必要のあるシステム情報に対応するコンポーネントキャリアを特定することができる。これは、例えば、ページングチャネル（ＰＣＨ）に、この特別なシステム情報の変更通知と更新する必要のあるシステム情報に対応するコンポーネントキャリアを特定する情報をオプション情報として符号化したり、ページングチャネル（ＰＣＨ）をスケジューリングする際に使用される物理下りリンク制御チャネル（ＰＤＣＣＨ）に、特別な情報を付与して送信したりすることで、複数のコンポーネントキャリアで通信している移動局装置のみが、この特別なシステム情報の変更通知を受信できるようにする。
【０１３１】
ページングチャネル（ＰＣＨ）をスケジューリングする際に使用される物理下りリンク制御チャネル（ＰＤＣＣＨ）に、特別な情報を付与する方法としては、例えば、単純に特別なシステム情報の変更通知であることを示すフラグと更新する必要のあるシステム情報に対応するコンポーネントキャリアを特定する情報が配置され、その値によって移動局装置２００が更新する必要のあるシステム情報に対応するコンポーネントキャリアを判別する方法や、物理下りリンク制御チャネル（ＰＤＣＣＨ）に配置されるＭＡＣ  ＩＤの値を通常のページングチャネル（ＰＣＨ）に使用されるＰＩ−ＲＮＴＩとは異なり、さらに、更新する必要のあるシステム情報に対応するコンポーネントキャリアごとに異なるＳＰＩ−ＲＮＴＩとし、そのＭＡＣ  ＩＤの値によって移動局装置２００が更新する必要のあるシステム情報に対応するコンポーネントキャリアを判別する方法などが使用される。
【０１３２】
移動局装置２００は、ページングチャネル（ＰＣＨ）に通常のシステム情報の変更通知が含まれている場合には、ページングチャネル（ＰＣＨ）がおかれているコンポーネントキャリアにて報知されている値タグ（Ｖａｌｕｅ  Ｔａｇ）を検証し（ステップＳ４０２、ステップＳ４０３）、移動局装置２００が保持しているＶａｌｕｅ  Ｔａｇと異なるＶａｌｕｅ  Ｔａｇの値の場合、システム情報を再読み込みし、システム情報の更新を行う（ステップＳ４０４、ステップＳ４０５）。
【０１３３】
移動局装置２００は、ページングチャネル（ＰＣＨ）に特別なシステム情報の変更通知が含まれている場合には、変更されたシステム情報を有するコンポーネントキャリアを示す情報に基づき、移動局がアクセスしているコンポーネントキャリア群内の変更されたシステム情報を有するコンポーネントキャリアを示す情報に対応する下りリンクコンポーネントキャリアにて報知されている値タグ（Ｖａｌｕｅ  Ｔａｇ）を検証する（ステップＳ４０２、ステップＳ４０３）。移動局装置２００が保持しているＶａｌｕｅ  Ｔａｇと異なるＶａｌｕｅ  Ｔａｇの値を検出すると、その下りリンクコンポーネントキャリアのシステム情報を再読み込みし、システム情報の更新を行う（ステップＳ４０４、ステップＳ４０５）。
【０１３４】
すなわち、更新されたコンポーネントキャリアのシステム情報のみ移動局装置２００は再読み込みおよび更新することになる。
この場合、複数のコンポーネントキャリアで通信している移動局装置２００は、複数のコンポーネントキャリア内の一つのページングチャネル（ＰＣＨ）を受信すればよいことになる。
【０１３５】
続いて、図１１を参照しながらシステム情報の変更通知の処理手順の第４の方法について説明する。システム情報の変更は、ページングチャネル（ＰＣＨ）を用いて通知される。ＣＣＤＩＥおよび／またはＣＣＣＩＥが、変更される場合には、基地局装置１００は、ページングチャネル（ＰＣＨ）に変更通知を含めて、システム内の移動局装置に対して通知する（ステップＳ５０１）。
【０１３６】
基地局装置１００は、ＣＣＣＩＥが変更されたときには、ページングチャネル（ＰＣＨ）にシステム情報の変更通知を配置し、移動局装置２００にシステム情報が変更されたことを通知する。ＣＣＤＩＥが変更されたときには、実際に変更されたコンポーネントキャリアのページングチャネル（ＰＣＨ）で、システム情報の変更通知が送信される。
【０１３７】
移動局装置２００は、マスターに設定されたコンポーネントキャリアのページングチャネル（ＰＣＨ）をモニタリングする。ページングチャネル（ＰＣＨ）にシステム情報の変更通知が含まれている場合には、ページングチャネル（ＰＣＨ）がおかれているコンポーネントキャリアにて報知されている値タグ（Ｖａｌｕｅ  Ｔａｇ）を検証し（ステップＳ５０２、ステップＳ５０３）、移動局装置２００が保持しているＶａｌｕｅ  Ｔａｇと異なるＶａｌｕｅ  Ｔａｇの値の場合、システム情報を再読み込みし、システム情報の更新を行う（ステップＳ５０４、ステップＳ５０５）。
【０１３８】
基地局装置１００は、移動局装置２００が複数のコンポーネントキャリアで通信している場合に、移動局装置２００にとってのマスター領域以外のコンポーネントキャリアでシステム情報の更新があった場合、共通制御チャネル（ＣＣＣＨ）や専用制御チャネル（ＤＣＣＨ）で送信されるＲＲＣシグナリングにて、ＣＣＤＩＥを移動局装置２００に通知する（ステップＳ５０６）。移動局装置２００は、基地局装置１００からＲＲＣシグナリングにて通知されたＣＣＤＩＥを取得すると、コンポーネントキャリアごとにこのＣＣＤＩＥを管理する（ステップＳ５０７）。
これにより、移動局装置２００は、マスター領域のみのページングチャネル（ＰＣＨ）をモニタリングすればよいことになる。また、基地局装置１００は、変更されたコンポーネントキャリアでのみページングチャネル（ＰＣＨ）を送信すればよいことになる。
【０１３９】
上記のそれぞれの実施形態においては、複数のコンポーネントキャリアで一つのシステムを構成するように説明したが、複数のシステムが、アグリゲーションされて、一つのシステムとして構成されると解釈することもできる。また、コンポーネントキャリアは、特定の受信側、又は、特定の送信側が、それぞれのコンポーネントキャリアの中心にキャリア周波数を合わせることによってシステムが動作する領域であることを示していると解釈することもできる。
【０１４０】
上記のそれぞれの実施形態においては、説明の都合上、基地局装置と移動局装置とが一対一の場合を例にとって説明したが、基地局装置および移動局装置は複数であっても良い。また、移動局装置とは、移動する端末に限らず、基地局装置や固定端末に移動局装置の機能を実装することなどにより実現しても良い。
【０１４１】
また、以上説明したそれぞれの実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行っても良い。なお、ここでいう「コンピュータシステム」とは、ＯＳや周辺機器等のハードウェアを含むものとする。
【０１４２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１４３】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１４４】
１００…基地局装置、１０１…データ制御部、１０２…ＯＦＤＭ変調部、１０３…無線部、１０４…スケジューリング部、１０５…チャネル推定部、１０６…ＤＦＴ−Ｓ−ＯＦＤＭ復調部、１０７…データ抽出部、１０８…上位層、２００…移動局装置、２０１…データ制御部、２０２…ＤＦＴ−Ｓ−ＯＦＤＭ変調部、２０３…無線部、２０４…スケジューリング部、２０５…チャネル推定部、２０６…ＯＦＤＭ復調部、２０７…データ抽出部、２０８…上位層、Ａ１，Ａ２…アンテナ部。
【図１】
2014131362.tif 000003
【図２】
2014131362.tif 000004
【図３】
2014131362.tif 000005
【図４】
2014131362.tif 000006
【図５】
2014131362.tif 000007
【図６】
2014131362.tif 000008
【図７】
2014131362.tif 000009
【図８】
2014131362.tif 000010
【図９】
2014131362.tif 000011
【図１０】
2014131362.tif 000012
【図１１】
2014131362.tif 000013
【図１２】
2014131362.tif 000014